(57)【特許請求の範囲】
【請求項１】
フロアキャビネット、ウォールキャビネット、レンジフードよりなるシステムキッチンを設置する際、前記ウォールキャビネットの下端部に揃えて施工したり、前記レンジフードの下方に設置される前記フロアキャビネットよりの高さに合わせるように施工する前記レンジフードの天面と室内の天井面の間に形成される隙間を閉鎖するために折り曲げまたは切断により高さを前記隙間に合わせて前記レンジフードに取り付けるレンジフード用幕板であって、金属製平板状の幕板正面板と、この幕板正面板の少なくとも下方および左右側方に突出して形成され、枠状に折りまげ容易な連結部分とスリット部分を連続的に設けた連結部を介して連結される下方突出片および側方突出片と、前記幕板正面板と前記側方突出片の上下方向の複数段に折り曲げあるいは切断の容易な連結部分とスリット部分を連続的に設け形成される上下調節部とを備え、前記側方突出片の側方端部に上下方向に前記連結部を介して連結される補強片を設ける構成としたレンジフード用幕板。
【請求項２】
下方突出片にはレンジフードの天面に取り付けるためのねじの係合溝を設けた請求項１記載のレンジフード用幕板。
【請求項３】
幕板正面板および下方突出片の左右方向に複数のレンジフードの幅に対応できる折り曲げあるいは切断の容易な区切部を設けた請求項１、または２記載のレンジフード用幕板。
【発明の詳細な説明】
【０００１】
【発明の属する技術分野】
本発明は、台所に設けた油煙を室外に排出するレンジフードの天面と室内の天井面の隙間を塞ぐレンジフード用幕板に関する。
【０００２】
【従来の技術】
従来、この種のレンジフード用幕板は図７および図８に示すものが一般的であった。
【０００３】
以下、その構成について図７および図８を参照しながら説明する。
図に示すように、システムキッチン１０１を施工する際、ウオールキャビネット１０２を家屋の壁面に取り付けたのちにレンジフード１０３を取り付ける。レンジフード１０３の取り付けは、隣接するウオールキャビネット１０２の下端部に揃えて施工したり、レンジフードの下方に設置されるフロアキュビネット１０４よりの高さに合わせるようにして施工する。また、レンジフード１０３の天面の排気アダプター（図示せず）と室外と連通する排気ダクトを接続するための作業上、前記排気アダプター等を設置するスペースと作業スペースが必要である。
【０００４】
上記構成において、レンジフード１０３の天面と天井面の間に発生した隙間１０６ｂを塞ぐために別途レンジフード用幕板１０５を用意し、前記隙間１０６ｂを塞ぎ、レンジフード本体１０３にネジと金具によって共締めし、施工されていた。
【０００５】
そして、上記のようにレンジフード１０３を施工した場合、家屋の床面から天井面までの距離の違い、あるいは隣接するウオールキャビネット１０２の下端部との揃えの関係、さらにフロアキャビネット１０４よりの法規による離隔距離１０６ａ等の関係で、レンジフード１０３の天面と天井面の隙間１０６ｂはまちまちとなり、これらの異なる隙間の寸法に合わせてレンジフード用幕板１０５を用意していた。
【０００６】
また、レンジフード１０３の幅方向においても、サイズがまちまちで有るため、幅方向の隙間寸法に合わせたレンジフード用幕板１０５を用意していた。
【０００７】
【発明が解決しようとする課題】
このような従来のレンジフード用幕板１０５では、レンジフード１０３の天面と天井面の隙間１０６ｂはまちまちで、隙間寸法に合わせて、レンジフード用幕板１０５を用意する必要が有るため、施工現場においては、レンジフード１０３を施工したあと、再度レンジフード用幕板１０５を取り付けにいったり、また、施工現場にレンジフード用幕板１０５を保管する場所がないため、散乱した施工現場では、落下し変形させたり、傷をつけたりするなど不良の原因になったり、レンジフード用幕板１０５を発注して納入されるまでの間、工事がストップしたりするため、工期が長期になったり、生産部門においては小ロット多品種生産になるため、コストアップになったり、在庫品として置いておく場所が必要となるなどの課題があった。
【０００８】
このように、施工現場においては、高さ、幅調整が簡単に対応可能なレンジフード用幕板が要求されている。
【０００９】
本発明は上記課題を解決するもので、施工現場において、幕板を平板より容易に加工することができ、保管場所および在庫経費の削減や品質改善を実現することのできるレンジフード用幕板を提供することを第１の目的とする。
【００１０】
また、第２の目的は、レンジフ−ドの天面と天井面との隙間に容易に合わせることのできるレンジフード用幕板を提供することにある。
【００１１】
また、第３の目的は、機種に幅の異なる複数のレンジフードに容易に使用できるレンジフード用幕板を提供することにある。
【００１２】
【課題を解決するための手段】
本発明のレンジフード用幕板おいては、壁面に取り付けられたレンジフードの天面と室内の天井面の間に形成される隙間を閉鎖する平板状の幕板正面板と、この幕板正面板の少なくとも下方および左右側方に突出し形成される下方突出片および側方突出片とを備え、前記幕板正面板に対し、下方突出片および側方突出片を枠状に折り曲げ容易な連結部を介して連結する構成としたものである。
【００１３】
この本発明によれば、施工現場においてレンジフードの天面と天井面との隙間を閉鎖する幕板を平板より容易に加工することができ、保管場所の確保、在庫経費の削減や品質改善を実現することのできるレンジフード用幕板を提供することができる。
【００１４】
【発明の実施の形態】
本発明の請求項１に記載の発明は、フロアキャビネット、ウォールキャビネット、レンジフードよりなるシステムキッチンを設置する際、前記ウォールキャビネットの下端部に揃えて施工したり、前記レンジフードの下方に設置される前記フロアキャビネットよりの高さに合わせるように施工する前記レンジフードの天面と室内の天井面の間に形成される隙間を閉鎖するために折り曲げまたは切断により高さを前記隙間に合わせて前記レンジフードに取り付けるレンジフード用幕板であって、金属製平板状の幕板正面板と、この幕板正面板の少なくとも下方および左右側方に突出して形成され、枠状に折りまげ容易な連結部分とスリット部分を連続的に設けた連結部を介して連結される下方突出片および側方突出片と、前記幕板正面板と前記側方突出片の上下方向の複数段に折り曲げあるいは切断の容易な連結部分とスリット部分を連続的に設け形成される上下調節部とを備え、前記側方突出片の側方端部に上下方向に前記連結部を介して連結される補強片を設ける構成としたものであり、施工現場において、幕板正面板に対し、下方突出片および側方突出片を連結部により枠状に折り曲げ加工することによりレンジフード用幕板を形成することができるので、平板状態で保管や運搬が可能となり、保管や運搬が容易となり経費の節減が図れるという作用を有する。
【００１５】
以下、本発明の実態の形態について、図１〜図６を参照しながら説明する。
（実施の形態１）
図１〜図３に示すように、壁面１に取り付けられたレンジフード２の天面３と室内の天井面４の間に形成される隙間Ａを閉鎖する形状の幕板正面板５の上下に上方突出片６と下方突出片７を設け、左右側方に側方突出片８を設け、側方突出片８にはさらに補強片９を設け金属製の平板１０を形成する。
【００１６】
そして、平板１０の上方突出片６と下方突出片７および、補強片９を設けた側方突出片８と幕板正面板５は連結部分とスリット部分を連続的に設けた折り曲げ容易な連結部１１により連結し、補強片９も側方突出片８に連結部１１を介して連結し、側方突出片８の下方には折り曲げ時に下方突出片７と重合する連結片１２を連結部１１を介して設け、連結片１２と下方突出片７には、重合時にリベット１３が挿通するリベット孔１４を設け、下方突出片７にはレンジフード２の天面３にねじやナットよりなる取付手段１５により取り付けるためのねじの係合溝１６を設けた構成とする。
【００１７】
上記構成において、レンジフード２の施工現場において壁面１に取り付けたレンジフード２の天面３と天井面４の間の隙間Ａを閉鎖するときには、平板１０の上方突出片６と下方突出片７および側方突出片８を各連結部１１において幕板正面板５対し枠状となるように折り曲げ、補強片９も内側に折り曲げ、さらに側方突出片８に設けた連結片１２と下方突出片７を重合し、リベット１３で結合する。
【００１８】
そして、枠状に形成された幕板１７をレンジフード２の天面３と天井面４との隙間Ａを閉鎖するように、レンジフード２の天面３上に係合溝１６を利用し取付手段１５により取り付ける。
【００１９】
このように本発明の実施の形態１のレンジフード用幕板によれば、レンジフード２を取り付ける現場までは幕板１７を平板１０の状態で保管することができ、保管が容易となり保管場所を節減することができるとともに、運搬等も平板１０の状態で運搬することができ、取り扱い容易となり、損傷も少なくなって品質向上を図ることができる。
【００２０】
（実施の形態２）
図４および図５に示すように、補強片９を含む側方突出片８Ａおよび幕板正面板５Ａの上下方向の複数段に折り曲げまたは切断が容易となるように連結部分とスリット部分を連続的に設けた上下調節部１８を形成した構成とする。
【００２１】
上記構成において、フロアキャビネット１９、ウオールキャビネット２０、レンジフード２等よりなるシステムキッチン２１を設置した場合においては、フロアキャビネット１９の高さを使用者の使用勝手を良くするため、例えばフロアキャビネット１９の高さを高くしたときには、フロアキャビネット１９とレンジフード２間を設定された離隔距離Ｂを維持するようにレンジフード２を設置した場合には、レンジフード２の天面３と天井面（図示せず）との間の隙間Ａがせまくなり、一定の高さの幕板では使用できなくなる。このような場合には隙間Ａの寸法にほぼ合致する高さに設けた上下調節部１８により幕板１７Ａを折り曲げるかまたは切断することにより、幕板１７Ａの高さを隙間Ａに合わせることができ、レンジフード２に取り付けて隙間Ａを閉鎖することができる。
【００２２】
このように本発明の実施の形態２のレンジフード用幕板によれば、レンジフード２の天面３と天井面との間の隙間Ａの寸法が変わった場合においても、幕板１７Ａに設けた上下調節部１８により容易に幕板１７Ａの高さ寸法を調節することができるので、その都度高さ寸法の異なる幕板を個別に用意する必要もなくなり、納期、工期の短縮が大幅に図れることとなる。
【００２３】
（実施の形態３）
図６に示すように、機種によりレンジフード（図示せず）の横幅寸法が９０ｃｍ、７５ｃｍ、６０ｃｍと異なった複数の幅に形成されているレンジフードに対応できるように、幕板正面板５Ｂと上方突出片６Ａおよび下方突出片７Ａの左右方向の幅を９０ｃｍに形成し、その間に６０ｃｍの幅に対応する区切部２２と７５ｃｍ幅に対応する区切部２３を連結部分とスリット部分を連続して形成し折り曲げあるいは切断容易に形成する。
【００２４】
そして、下方突出片７Ａには６０ｃｍあるいは７５ｃｍの幅のレンジフードに取り付けるための係合溝１６Ａと１６Ｂを設け、区切部２２あるいは区切部２３で折り曲げ、下方突出片７Ａ部分の区切部２２あるいは２３は切断し、下方突出片７Ａを枠状に折り曲げたときに隣接する下方突出片７Ａが重合する部分にレベット（図示せず）により結合できるリベット孔１４Ａを設ける。
【００２５】
上記構成において、７５ｃｍ幅のレンジフード対応する幕板を形成するときには、上方突出片６Ａ、幕板正面板５Ｂ、下方突出片７Ａを一体的に折り曲げ、上方突出片６Ａと下方突出片７Ａの区切部２３は切断し、上方突出片６Ａと下方突出片７Ａを枠状に折り曲げ、リベット孔１４Ａを利用して重合する下方突出片７Ａを結合し、７５ｃｍ幅の幕板を形成する。
【００２６】
また、６０ｃｍ幅のレンジフードに対応する幕板を形成するときには、区切部２２で折り曲げ、上記７５ｃｍ幅の幕板を形成したときと同様の作業により６０ｃｍ幅の幕板を形成することができる。
【００２７】
このように本発明の実施の形態３のレンジフード用幕板によれば、１枚の幕板でレンジフードの幅の異なる３機種に対応することができるので、機種毎に幕板を作る必要がなく、また、施工現場においてもどの機種のレンジフードにも対応することができ、１種類の平板状の幕板を用意すればよいので幕板の保管管理も容易となるとともに同一形状の平板状の幕板を生産すれば良いので生産性も向上しコストも安くなることとなる。
【００２８】
【発明の効果】
以上の実施の形態から明らかなように、本発明によれば平板状の幕板を施工現場において立体的な幕板に加工することができるので、平板状で保管ができ保管場所および在庫経費の削減や品質改善を実現することができるレンジフード用幕板を提供することができる。
【００２９】
また、幕板の高さ調節を可能にしたので、レンジフードの天面と天井面との隙間に容易に合わせることができる。
【００３０】
また、機種により幅の異なる種々のレンジフードに対応できるように平板状の幕板を形成したので、生産性が高く、コストの安いレンジフー用幕板を提供できる。
【図面の簡単な説明】
【図１】本発明の実施の形態１のレンジフード用幕板の平板時の状態を示す正面図
【図２】同レンジフード用幕板の平板を立体的に加工する状態を示す斜視図
【図３】同レンジフード用幕板を取り付けた状態を示す断面図
【図４】本発明の実施の形態２のレンジフード用幕板の平板時の状態を示す正面図
【図５】同レンジフード用幕板を使用したシステムキッチンの施工状態を示す斜視図
【図６】本発明の実施の形態３のレンジフード用幕板の平板時の状態を示す正面図
【図７】従来のレンジフード用幕板の斜視図
【図８】同レンジフード用幕板を使用したシステムキッチンの施工状態を示す斜視図
【符号の説明】
１    壁面
２    レンジフード
３    天面
４    天井面
５    幕板正面板
５Ａ  幕板正面板
５Ｂ  幕板正面板
７    下方突出片
７Ａ  下方突出片
８    側方突出片
８Ａ  側方突出片
１０  平板
１１  連結部
１８  上下調節部
２２  区切部
２３  区切部
【図１】
0003607064.tif 000002
【図２】
0003607064.tif 000003
【図３】
0003607064.tif 000004
【図４】
0003607064.tif 000005
【図５】
0003607064.tif 000006
【図６】
0003607064.tif 000007
【図７】
0003607064.tif 000008
【図８】
0003607064.tif 000009